(57)【要約】【課題】携帯端末を用いて，外部装置にアクセスせずに，安全かつ煩雑な操作を必要とすることなく，ユーザに固有の備忘情報を好適なタイミングで提供する。【解決手段】携帯端末２００に，オントロジ辞書２５２と備忘録リストとを格納する記憶装置２５０と；備忘録リストにリストアップされたサービスアイテム情報を読み出し，オントロジ辞書２５２を参照し，サービスアイテムを提供するサイト情報からそのサイト情報に関するサイト位置情報を検索し，少なくとも各サービスアイテム情報とそのサービスアイテム情報に関連するサイト位置情報とを関連付けて備忘録リストに書き込む，備忘録リスト管理部２６０と；現在位置情報を取得する現在位置情報取得部２７０と；現在位置情報と備忘録リストのサイト位置情報とのマッチングを行い，マッチしたサイト位置情報に関連するサービスアイテムに関する備忘情報をユーザに通知する通知部２８０と；を備えた。【選択図】    図２
2005316717.tif 000002
【特許請求の範囲】
【請求項１】
携帯端末をして備忘録として機能せしめる備忘録システムであって：
サービスアイテムとそのサービスアイテムを提供するサイト情報とそのサイト情報に関するサイト位置情報とを関連付けて体系化したオントロジ辞書を管理するオントロジ辞書管理部と；携帯端末からの要求に応じてオントロジ辞書を提供する通信装置と；を備えたオントロジ辞書管理サーバと：
オントロジ辞書管理サーバからオントロジ辞書の提供を受ける通信装置と；ユーザ固有にリストアップされたサービスアイテム情報を含む備忘録リストと，前記オントロジ辞書とを格納する記憶装置と；前記備忘録リストにリストアップされたサービスアイテム情報を読み出し，前記オントロジ辞書を参照し，前記サービスアイテムを提供するサイト情報からそのサイト情報に関するサイト位置情報を検索し，少なくとも各サービスアイテム情報とそのサービスアイテム情報に関連するサイト位置情報とを関連付けて前記備忘録リストに書き込む，備忘録リスト管理部と；現在位置情報を取得する現在位置情報取得部と；前記現在位置情報と前記備忘録リストの前記サイト位置情報とのマッチングを行い，マッチしたサイト位置情報に関連するサービスアイテムに関する備忘情報をユーザに通知する通知部と；を備えた携帯端末と：
前記オントロジ辞書管理サーバと前記携帯端末とを双方向通信可能に接続する通信網と：
から成ることを特徴とする備忘録システム。
【請求項２】
前記オントロジ辞書管理部は，前記オントロジ辞書に登録された情報が更新された場合に，前記携帯端末に更新情報を提供することを特徴とする，請求項１に記載の備忘録システム。
【請求項３】
ユーザ固有にリストアップされたサービスアイテム情報を含む備忘録リストと，サービスアイテムとそのサービスアイテムを提供するサイト情報とそのサイト情報に関するサイト位置情報とを関連付けて体系化したオントロジ辞書とを格納する記憶装置と；
前記備忘録リストにリストアップされたサービスアイテム情報を読み出し，前記オントロジ辞書を参照し，前記サービスアイテムを提供するサイト情報からそのサイト情報に関するサイト位置情報を検索し，少なくとも各サービスアイテム情報とそのサービスアイテム情報に関連するサイト位置情報とを関連付けて前記備忘録リストに書き込む，備忘録リスト管理部と；
現在位置情報を取得する現在位置情報取得部と；
前記現在位置情報と前記備忘録リストの前記サイト位置情報とのマッチングを行い，マッチしたサイト位置情報に関連するサービスアイテムに関する備忘情報をユーザに通知する通知部と；を備えたことを特徴とする，携帯端末。
【請求項４】
前記サービスアイテム情報は，商品情報であり；
前記備忘録リストは，買い物備忘録リストであり；
前記サイト情報は，店舗情報であり；
前記サイト位置情報は，店舗位置情報であり；
前記備忘情報は，少なくとも購入予定商品情報である；ことを特徴とする，請求項３に記載の携帯端末。
【請求項５】
前記オントロジ辞書は，
前記商品情報と前記店舗情報とを関連付けて体系化した第１のデータベースと；
前記店舗情報と前記店舗位置情報とを関連付けて体系化した第２のデータベースと；
からなることを特徴とする，請求項４に記載の携帯端末。
【請求項６】
オントロジ辞書管理サーバから前記オントロジ辞書の更新情報の提供を受ける通信装置と；前記更新情報の提供を受けた場合に，記憶装置内の前記オントロジ辞書の更新を行う更新部と；をさらに備えることを特徴とする，請求項３に記載の携帯端末。
【請求項７】
ユーザ固有にリストアップされたサービスアイテム情報を含む備忘録リストと，サービスアイテムとそのサービスアイテムを提供するサイト情報とそのサイト情報に関するサイト位置情報とを関連付けて体系化したオントロジ辞書とを格納する記憶装置を備える携帯端末をして：
前記備忘録リストにリストアップされたサービスアイテム情報を読み出し，前記オントロジ辞書を参照し，前記サービスアイテムを提供するサイト情報からそのサイト情報に関するサイト位置情報を検索し，少なくとも各サービスアイテム情報とそのサービスアイテム情報に関連するサイト位置情報とを関連付けて前記備忘録リストに書き込む，備忘録リスト管理部と；
現在位置情報を取得する現在位置情報取得部と；
前記現在位置情報と前記備忘録リストの前記サイト位置情報とのマッチングを行い，マッチしたサイト位置情報に関連するサービスアイテムに関する備忘情報をユーザに通知する通知部と；して機能せしめるための，コンピュータプログラム。
【請求項８】
前記サービスアイテム情報は，商品情報であり；
前記備忘録リストは，買い物備忘録リストであり；
前記サイト情報は，店舗情報であり；
前記サイト位置情報は，店舗位置情報であり；
前記備忘情報は，少なくとも購入予定商品情報である；ことを特徴とする，請求項７に記載のコンピュータプログラム。
【請求項９】
前記オントロジ辞書は，
前記商品情報と前記店舗情報とを関連付けて体系化した第１のデータベースと；
前記店舗情報と前記店舗位置情報とを関連付けて体系化した第２のデータベースと；
からなることを特徴とする，請求項８に記載のコンピュータプログラム。
【請求項１０】
前記記憶装置と；オントロジ辞書管理サーバから前記オントロジ辞書の更新情報の提供を受ける通信装置と；を備える前記携帯端末をして：前記更新情報の提供を受けた場合に，記憶装置内の前記オントロジ辞書の更新を行う更新部としてさらに機能せしめることを特徴とする，請求項７に記載のコンピュータプログラム。
【請求項１１】
ユーザ固有にリストアップされたサービスアイテム情報を含む備忘録リストと，サービスアイテムとそのサービスアイテムを提供するサイト情報とそのサイト情報に関するサイト位置情報とを関連付けて体系化したオントロジ辞書とを格納する記憶装置を備える携帯端末をして：
前記備忘録リストにリストアップされたサービスアイテム情報を読み出し，前記オントロジ辞書を参照し，前記サービスアイテムを提供するサイト情報からそのサイト情報に関するサイト位置情報を検索し，少なくとも各サービスアイテム情報とそのサービスアイテム情報に関連するサイト位置情報とを関連付けて前記備忘録リストに書き込む，備忘録リスト管理部と；
現在位置情報を取得する現在位置情報取得部と；
前記現在位置情報と前記備忘録リストの前記サイト位置情報とのマッチングを行い，マッチしたサイト位置情報に関連するサービスアイテムに関する備忘情報をユーザに通知する通知部と；して機能せしめるためのコンピュータプログラムを記録した，コンピュータ読み取り可能な記録媒体。
【請求項１２】
ユーザ固有にリストアップされたサービスアイテム情報を含む備忘録リストと，サービスアイテムとそのサービスアイテムを提供するサイト情報とそのサイト情報に関するサイト位置情報とを関連付けて体系化したオントロジ辞書とを格納する記憶装置を備える携帯端末に，備忘情報を提供する，備忘情報提供方法であって：
前記備忘録リストにリストアップされたサービスアイテム情報を読み出し，前記オントロジ辞書を参照し，前記サービスアイテムを提供するサイト情報からそのサイト情報に関するサイト位置情報を検索し，少なくとも各サービスアイテム情報とそのサービスアイテム情報に関連するサイト位置情報とを関連付けて前記備忘録リストに書き込む，備忘録リスト作成ステップと；
現在位置情報を取得する現在位置情報取得ステップと；
前記現在位置情報と前記備忘録リストの前記サイト位置情報とのマッチングを行い，マッチしたサイト位置情報に関連するサービスアイテムに関する備忘情報をユーザに通知する通知ステップと；を備えることを特徴とする，備忘情報提供方法。
【請求項１３】
前記サービスアイテム情報は，商品情報であり；
前記備忘録リストは，買い物備忘録リストであり；
前記サイト情報は，店舗情報であり；
前記サイト位置情報は，店舗位置情報であり；
前記備忘情報は，少なくとも購入予定商品情報である；ことを特徴とする，請求項１２に記載の備忘情報提供方法。
【請求項１４】
前記オントロジ辞書は，
前記商品情報と前記店舗情報とを関連付けて体系化した第１のデータベースと；
前記店舗情報と前記店舗位置情報とを関連付けて体系化した第２のデータベースと；
からなることを特徴とする，請求項１３に記載の備忘情報提供方法。
【請求項１５】
オントロジ辞書管理サーバから前記オントロジ辞書の更新情報の提供を受ける受信ステップと；前記更新情報の提供を受けた場合に，記憶装置内の前記オントロジ辞書の更新を行う更新ステップと；をさらに備えることを特徴とする，請求項１２に記載の備忘情報提供方法。
【発明の詳細な説明】
【技術分野】
【０００１】
本発明は，備忘録システム，携帯端末，コンピュータプログラム，記録媒体および備忘情報提供方法に関する。
【背景技術】
【０００２】
従来から，多くの人は，購入したい商品，提供を受けたいサービスなどの備忘情報を，忘れないよう頭の中で記憶しておいたり，備忘録を作成して記録に残したりしている。しかし，備忘録を作成した場合であっても，実際にその備忘情報が必要となったときには，備忘録の存在あるいは内容を忘れていたり，備忘録を無くしてしまったりして，必要な備忘情報を有効利用できないことが多い。例えば，購入したい商品があるが，すぐに必要ではないため，買い物備忘録を作成しておき，他の用事で外出した際についでに購入しようと考えている場合がある。このような場合に，外出中にせっかく購入したい商品を販売している店舗の近くを通りかかったにもかかわらず，そのことに気付かずに通り過ぎてしまったり，購入したい商品が何かを思い出せなくなってしまったりすることがある。
【０００３】
上記例のような場合に，購入したい商品を販売している店舗の近くを通りかかったときに，購入したい商品の情報やその商品を販売している店舗の位置の情報（例えば，住所や地図などの情報）などが自動的に通知されれば便利である。すなわち，必要なときに必要な備忘情報をタイミング良く自動的に通知する手段があれば，必要な情報を有効利用することができる。
【０００４】
一方，最近では，備忘録機能を有している携帯端末も多く，予定の時刻になると，ユーザに対してアラームにより必要な情報を通知することもできる。しかし，住所や緯度・経度などの位置情報を利用してアラームにより必要な情報を通知するものは存在しなかった。
【０００５】
このような状況に鑑み，利用者の携帯端末から買い物管理装置に対して予め利用者が自分の欲しい購入予定の商品情報を指定して買い物管理装置側に登録しておき，買い物管理装置は，利用者携帯端末の位置情報を取得し，利用者が当該商品を販売している店舗に近づいたとき，その旨を利用者携帯端末に対して案内通知する買い物案内情報提供装置に係る発明がなされた（例えば，特許文献１参照）。
【０００６】
【特許文献１】特開２００２−１７５４６５号公報
【発明の開示】
【発明が解決しようとする課題】
【０００７】
しかしながら，特許文献１に係る発明によれば，利用者携帯端末が，買い物管理装置から案内通知を受けるためには，インターネット等のネットワークを介して買い物管理装置にアクセスしなければならない。そのため，例えば，購入希望商品情報などの個人的な情報，利用者の現在位置，携帯端末が電話機である場合には電話番号などの個人情報を，ネットワークを介して送受信する必要があり，個人情報が流出する可能性など，セキュリティ面からあまり好ましくないという問題がある。
【０００８】
また，ユーザは，特許文献１に係る発明によれば，購入希望商品情報などを買い物管理装置に登録しなければならず，その際には，買い物管理装置にネットワークを介してアクセスし，ＩＤ，パスワード，電話番号などの入力もしなければならないため，携帯端末内だけで処理できる場合と比べ，操作が煩雑となるという問題もある。
【０００９】
なお，特許文献１に係る発明の買い物案内の機能をより効果的に実現するためには，買い物管理装置が常に利用者の現在位置を把握しておくことが好ましいと考えられ，そのためには，利用者携帯端末が常時ネットワークに接続していることが好ましい。したがって，上述したセキュリティ面に加えて，サーバである買い物管理装置に多数の携帯端末からのアクセスがあった場合にサーバ側の負担が大きくなり，案内通知が遅れる可能性もある。さらに，ユーザは，ネット接続料等の料金も負担しなければならない。
【００１０】
そこで，本発明は，このような問題に鑑みてなされたもので，その目的とするところは，外部装置にアクセスせずに，安全かつ煩雑な操作を必要とすることなく，ユーザに固有の備忘情報を好適なタイミングで提供することが可能な新規かつ改良された備忘録システム，携帯端末，コンピュータプログラム，記録媒体および備忘情報提供方法を提供することにある。
【課題を解決するための手段】
【００１１】
上記課題を解決するために，本発明の第１の観点によれば，携帯端末をして備忘録として機能せしめる備忘録システムであって，オントロジ辞書管理サーバと，携帯端末と，オントロジ辞書管理サーバと携帯端末とを双方向通信可能に接続する通信網とから成る備忘録システムが提供される。
【００１２】
オントロジ辞書管理サーバは，オントロジ辞書自体やオントロジ辞書の更新情報を管理するためのサーバである。オントロジ辞書管理サーバの主な役割は，オントロジ辞書に登録された情報が更新された場合に，携帯端末にその更新情報を提供することであるが，その役割は，更新情報の提供に限られるわけではない。
【００１３】
ここで，オントロジ辞書とは，一般的には，例えば，類義語，上位概念と下位概念，対語，因果性，方法等のような語彙間の種々の関係を体系的に記述したものをいう。本発明におけるオントロジ辞書は，例えば，商品情報（例えば，目薬等）とその商品を販売する店舗情報（例えば，薬局等）とその店舗の位置情報（例えば，薬局の住所等）とを関連付けて体系化したものである。
【００１４】
オントロジ辞書管理サーバは，オントロジ辞書を管理するオントロジ辞書管理部と，携帯端末からの要求に応じてオントロジ辞書を提供する通信装置とを備えている。
【００１５】
オントロジ辞書管理部は，サービスアイテム（例えば，目薬などの商品）とそのサービスアイテムを提供するサイト情報（例えば，薬局などの店舗情報）とそのサイト情報に関するサイト位置情報（例えば，薬局の住所などの店舗位置情報）とを関連付けて体系化したオントロジ辞書を管理する機能を有する。
【００１６】
また，オントロジ辞書管理サーバの通信装置は，携帯端末からのオントロジ辞書および／またはその更新情報の提供の要求を受信し，その要求に応じてオントロジ辞書および／またはその更新情報を送信するための装置である。
【００１７】
一方，携帯端末は，オントロジ辞書管理サーバからオントロジ辞書の提供を受ける通信装置と，備忘録リストとオントロジ辞書を格納する記憶装置と，備忘録リストへの情報の読み書き等を行う備忘録リスト管理部と，携帯端末の現在位置情報を取得する現在位置情報取得部と，所定の備忘情報をユーザに通知する通知部と，から構成される。
【００１８】
携帯端末の通信装置は，オントロジ辞書管理サーバへオントロジ辞書の提供を要求したり，オントロジ辞書管理サーバからオントロジ辞書の提供を受けたりするための装置である。
【００１９】
また，携帯端末の記憶装置は，ユーザ固有にリストアップされたサービスアイテム情報，例えば，ユーザが購入をしようと考えている購入予定商品情報（目薬等）を含む備忘録リストと，上記オントロジ辞書とを格納するための装置である。
【００２０】
なお，記憶装置は，ＲＯＭ（Ｒｅａｄ  Ｏｎｌｙ  Ｍｅｍｏｒｙ）のような不揮発性メモリと，ＲＡＭ（Ｒａｎｄｏｍ  Ａｃｃｅｓｓ  Ｍｅｍｏｒｙ）のような揮発性メモリとに分けられていてもよい。この場合，備忘録リストは，揮発性メモリに記憶されて，備忘録リストに書き込まれた情報の追加，削除，変更等が自由に行えるようにされていることが好ましい。これにより，ユーザは，後に必要となった情報の追加，目的を達成して不要となったデータの削除，状況の変化により変更することが必要となった情報の変更等を自由に行うことができるため，より有用な備忘情報の提供を受けることが可能となる。
【００２１】
また，備忘録リスト管理部は，備忘録リスト（例えば，買い物備忘録リスト）にリストアップされたサービスアイテム情報（例えば，購入予定商品情報）を読み出し，上記オントロジ辞書を参照し，サービスアイテム（例えば，購入予定商品）を提供するサイト情報（例えば，店舗情報）からそのサイト情報に関するサイト位置情報（例えば，店舗位置情報）を検索し，少なくとも各サービスアイテム情報とそのサービスアイテム情報に関連するサイト位置情報とを関連付けて備忘録リストに書き込む機能を有する。
【００２２】
また，現在位置情報取得部により，携帯端末（ユーザ）の現在位置を取得する方法としては，例えば，ＧＰＳ（Ｇｌｏｂａｌ  Ｐｏｓｉｔｉｏｎｉｎｇ  Ｓｙｓｔｅｍ），ホットスポット，ＰＨＳ（Ｐｅｒｓｏｎａｌ  Ｈａｎｄｙｐｈｏｎｅ  Ｓｙｓｔｅｍ）による位置情報システムなどを用いる方法が挙げられるが，これらには限られない。
【００２３】
また，通知部は，現在位置情報と備忘録リストのサイト位置情報とのマッチングを行い，マッチしたサイト位置情報に関連するサービスアイテムに関する備忘情報をユーザに通知する機能を有する。ここで，備忘情報とは，購入予定商品（目薬等），その商品を販売している店舗（薬局等），その店舗の位置（新宿区○○等の住所またはその地図）などの情報をいう。備忘情報をユーザに通知する場合に，上記３つの情報をすべて通知しなくてもよく，例えば，購入予定商品情報のみの通知，あるいは購入予定商品情報および店舗位置情報の通知などでもよい。
【００２４】
また，本発明における「マッチング」あるいは「マッチ」とは，現在位置情報とサイト位置情報とが正確に一致すること（例えば，緯度・経度が正確に一致していること）を意味しているのではなく，所定の幅をもって一致していることを意味している。
【００２５】
上記課題を解決するために，本発明の第２の観点によれば，ユーザ固有にリストアップされたサービスアイテム情報を含む備忘録リストと，サービスアイテムとそのサービスアイテムを提供するサイト情報とそのサイト情報に関するサイト位置情報とを関連付けて体系化したオントロジ辞書と，を格納する記憶装置と；備忘録リストにリストアップされたサービスアイテム情報を読み出し，前記オントロジ辞書を参照し，前記サービスアイテムを提供するサイト情報からそのサイト情報に関するサイト位置情報を検索し，少なくとも各サービスアイテム情報とそのサービスアイテム情報に関連するサイト位置情報とを関連付けて前記備忘録リストに書き込む，備忘録リスト管理部と；現在位置情報を取得する現在位置情報取得部と；現在位置情報と備忘録リストのサイト位置情報とのマッチングを行い，マッチしたサイト位置情報に関連するサービスアイテムに関する備忘情報をユーザに通知する通知部と；を備えた携帯端末が提供される。
【００２６】
ここで，備忘録リストとは，例えば，買い物備忘録リストのようなものをいう。また，サービスアイテム情報とは，例えば，商品情報（目薬等）であり，サイト情報とは，例えば，その商品を販売している店舗情報（薬局等）であり，サイト位置情報とは，例えば，その店舗の位置情報（薬局の住所等）である。また，備忘情報は，例えば，少なくともユーザが購入を予定している商品の情報である。
【００２７】
また，オントロジ辞書とは，上述したように，例えば，商品情報（例えば，目薬等）とその商品を販売する店舗情報（例えば，薬局等）とその店舗の位置情報（例えば，薬局の住所等）とを関連付けて体系化したものであるが，オントロジ辞書は，以下の２つのデータベースからなるものであってもよい。すなわち，オントロジ辞書は，商品情報と店舗情報とを関連付けて体系化した第１のデータベースと，店舗情報と店舗位置情報とを関連付けて体系化した第２のデータベースと，からなっていてもよい。このように，オントロジ辞書が２つのデータベースに分けて構成されることにより，１つのデータベースとして構成されている場合よりも，データ量を少なくすることができ，記憶装置のメモリの使用量を抑えることができる。
【００２８】
また，携帯端末は，オントロジ辞書管理サーバからオントロジ辞書の更新情報の提供を受ける通信装置と，更新情報の提供を受けた場合に，記憶装置内のオントロジ辞書の更新を行う更新部と，をさらに備えていてもよい。
【００２９】
上記課題を解決するために，本発明の第３の観点によれば，ユーザ固有にリストアップされたサービスアイテム情報を含む備忘録リストと，サービスアイテムとそのサービスアイテムを提供するサイト情報とそのサイト情報に関するサイト位置情報とを関連付けて体系化したオントロジ辞書とを格納する記憶装置を備える携帯端末をして：備忘録リストにリストアップされたサービスアイテム情報を読み出し，オントロジ辞書を参照し，サービスアイテムを提供するサイト情報からそのサイト情報に関するサイト位置情報を検索し，少なくとも各サービスアイテム情報とそのサービスアイテム情報に関連するサイト位置情報とを関連付けて備忘録リストに書き込む，備忘録リスト管理部と；現在位置情報を取得する現在位置情報取得部と；現在位置情報と備忘録リストのサイト位置情報とのマッチングを行い，マッチしたサイト位置情報に関連するサービスアイテムに関する備忘情報をユーザに通知する通知部と；して機能せしめるためのコンピュータプログラムが提供される。
【００３０】
上記コンピュータプログラムにおいて，上記サービスアイテム情報は，商品情報であり，上記備忘録リストは，買い物備忘録リストであり，上記サイト情報は，店舗情報であり，上記サイト位置情報は，店舗位置情報であり，上記備忘情報は，少なくとも購入予定商品情報であってもよい。
【００３１】
上記コンピュータプログラムにおいて，上記オントロジ辞書は，商品情報と店舗情報とを関連付けて体系化した第１のデータベースと，店舗情報と店舗位置情報とを関連付けて体系化した第２のデータベースと，からなっていてもよい。
【００３２】
上記コンピュータプログラムは，上記記憶装置とオントロジ辞書管理サーバからオントロジ辞書の更新情報の提供を受ける通信装置とを備える携帯端末をして，更新情報の提供を受けた場合に，記憶装置内のオントロジ辞書の更新を行う更新部としてさらに機能せしめるコンピュータプログラムであってもよい。
【００３３】
上記課題を解決するために，本発明の第４の観点によれば，ユーザ固有にリストアップされたサービスアイテム情報を含む備忘録リストと，サービスアイテムとそのサービスアイテムを提供するサイト情報とそのサイト情報に関するサイト位置情報とを関連付けて体系化したオントロジ辞書とを格納する記憶装置を備える携帯端末をして：備忘録リストにリストアップされたサービスアイテム情報を読み出し，オントロジ辞書を参照し，サービスアイテムを提供するサイト情報からそのサイト情報に関するサイト位置情報を検索し，少なくとも各サービスアイテム情報とそのサービスアイテム情報に関連するサイト位置情報とを関連付けて備忘録リストに書き込む，備忘録リスト管理部と；現在位置情報を取得する現在位置情報取得部と；現在位置情報と備忘録リストのサイト位置情報とのマッチングを行い，マッチしたサイト位置情報に関連するサービスアイテムに関する備忘情報をユーザに通知する通知部と；して機能せしめるためのコンピュータプログラムを記録した，コンピュータ読み取り可能な記録媒体が提供される。
【００３４】
上記課題を解決するために，本発明の第５の観点によれば，ユーザ固有にリストアップされたサービスアイテム情報を含む備忘録リストと，サービスアイテムとそのサービスアイテムを提供するサイト情報とそのサイト情報に関するサイト位置情報とを関連付けて体系化したオントロジ辞書とを格納する記憶装置を備える携帯端末に，備忘情報を提供する，備忘情報提供方法であって：備忘録リストにリストアップされたサービスアイテム情報を読み出し，オントロジ辞書を参照し，サービスアイテムを提供するサイト情報からそのサイト情報に関するサイト位置情報を検索し，少なくとも各サービスアイテム情報とそのサービスアイテム情報に関連するサイト位置情報とを関連付けて備忘録リストに書き込む，備忘録リスト作成ステップと；現在位置情報を取得する現在位置情報取得ステップと；現在位置情報と備忘録リストのサイト位置情報とのマッチングを行い，マッチしたサイト位置情報に関連するサービスアイテムに関する備忘情報をユーザに通知する通知ステップと；を備える備忘情報提供方法が提供される。
【００３５】
上記備忘情報提供方法は，オントロジ辞書管理サーバからオントロジ辞書の更新情報の提供を受ける受信ステップと；更新情報の提供を受けた場合に，記憶装置内のオントロジ辞書の更新を行う更新ステップと；をさらに備えていてもよい。
【発明の効果】
【００３６】
本発明によれば，外部装置にアクセスせずに，安全かつ煩雑な操作を必要とすることなく，ユーザに固有の備忘情報を好適なタイミングで提供することができる。
【発明を実施するための最良の形態】
【００３７】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００３８】
＜備忘録システム＞
（備忘録システム１０の構成）
まず，図１を参照しながら，本実施形態に係る備忘録システム１０の構成について説明する。なお，図１は，備忘録システム１０の概略的な構成を示すブロック図である。
【００３９】
本実施形態に係る備忘録システム１０は，携帯端末を備忘録として機能させるためのシステムであって，図１に示すように，オントロジ辞書管理サーバ１００と携帯端末２００とが，インターネット等の通信網３００によって双方向通信可能に接続された構成である。なお，携帯端末２００は，回線網３００と直接接続されていてもよいが，通常は，基地局４００を介して回線網３００と接続されている。
【００４０】
（オントロジ辞書管理サーバ１００の構成）
オントロジ辞書管理サーバ１００は，備忘録システム１０の一構成要素であり，オントロジ辞書自体やオントロジ辞書の更新情報を管理するためのサーバである。オントロジ辞書管理サーバ１００の主な役割は，オントロジ辞書に登録された情報が更新された場合に，携帯端末２００にその更新情報を提供することであるが，その役割は，更新情報の提供に限られるわけではない。
【００４１】
ここで，オントロジ辞書とは，一般的には，例えば，類義語，上位概念と下位概念，対語，因果性，方法等のような語彙間の種々の関係を体系的に記述したものをいう。本実施形態におけるオントロジ辞書は，例えば，商品情報（例えば，目薬等）とその商品を販売する店舗情報（例えば，薬局等）とその店舗の位置情報（例えば，薬局の住所等）とを関連付けて体系化したものである。
【００４２】
オントロジ辞書管理サーバ１００は，オントロジ辞書を管理するオントロジ辞書管理部（図示せず）と，携帯端末からの要求に応じてオントロジ辞書を提供する通信装置（図示せず）とを備えている。
【００４３】
オントロジ辞書管理部は，上記のように，オントロジ辞書を管理しており，主に，オントロジ辞書に登録された情報が更新された場合に，オントロジ辞書の更新を行う。例えば，店舗の移転による店舗位置情報（住所等）の変更，新たな商品の開発による商品情報（取り扱い商品）の追加や変更があった場合に，オントロジ辞書の更新を行う。
【００４４】
また，オントロジ辞書管理部は，オントロジ辞書の更新の他にも，不要となったオントロジ辞書の削除，新規のオントロジ辞書が作成された場合には，そのオントロジ辞書を新たにオントロジ辞書管理サーバ１００の記憶装置（図示せず）に記憶させることもできる。
【００４５】
さらに，オントロジ辞書管理部は，オントロジ辞書の編集を行うこともできる。具体的には，店舗位置情報を特定の地域（例えば，品川区のみ）に限定，店舗情報を特定の店舗（例えば，○○薬局）に限定，商品情報を特定の商品（例えば，生産数が限られている限定品）を行うこともできる。これにより，ユーザは，自己の嗜好に合ったオントロジ辞書の提供を受けることができ，必要な備忘情報の提供を効率よく受けることができる。
【００４６】
通信装置は，携帯端末２００からのオントロジ辞書および／またはその更新情報の提供の要求を受信し，その要求に応じてオントロジ辞書および／またはその更新情報を送信することにより，オントロジ辞書管理サーバ１００は，オントロジ辞書および／またはその更新情報を携帯端末２００に提供することができる。提供の形態としては，更新情報のみの提供であってもよいし，更新されたオントロジ辞書全体の提供であってもよい。これにより，ユーザは，携帯端末２００の記憶容量に合わせて，所望の形態で提供を受けることができる。
【００４７】
なお，オントロジ辞書管理サーバ１００は，携帯端末２００に，オントロジ辞書やその更新情報を提供する代わりに，オントロジ辞書の使用のみをさせることもできる。なお，オントロジ辞書管理サーバ１００は，携帯端末２００にオントロジ辞書を使用させる際に，例えば，ユーザＩＤおよびパスワードによる認証，あるいはかぎ管理システム，署名生成システム，証明書管理システムなどの認証システムによる認証などを要求してもよい。これにより，オントロジ辞書のデータ量が携帯端末２００の記憶装置の記憶容量を超えている場合であっても，ユーザは，本実施形態に係る備忘録システム１０を利用することができる。
【００４８】
（携帯端末２００の構成）
次に，図２を参照しながら，本実施形態に係る携帯端末２００の構成について説明する。なお，図２は，携帯端末２００の概略的な構成を示すブロック図である。
【００４９】
携帯端末２００は，備忘録システム１０の一構成要素であり，備忘録としての機能を有する携帯端末である。携帯端末２００は，自己が所有するオントロジ辞書またはオントロジ辞書管理サーバ１００が所有するオントロジ辞書を利用することにより，好適なタイミングで備忘情報の提供を受けることができる。なお，以下の説明では，本発明に係る備忘録システムの一実施形態である買い物備忘録システムの場合を例に挙げて説明する。
【００５０】
携帯端末２００は，図２に示すように，処理装置（ＣＰＵ）２１０，通信装置２２０，入力装置２３０，出力装置２４０，記憶装置２５０，備忘録リスト管理部２６０，現在位置情報取得部２７０，通知部２８０，更新部２９０などを備えている。
【００５１】
処理装置２１０は，具体的には，ＣＰＵ（Ｃｅｎｔｒａｌ  Ｐｒｏｃｅｓｓｉｎｇ  Ｕｎｉｔ）のことであり，携帯端末２００における制御（命令の取り出し，解読，指令等）および演算を行う装置である。
【００５２】
通信装置２２０は，オントロジ辞書管理サーバ１００へオントロジ辞書の提供を要求したり，オントロジ辞書管理サーバ１００からオントロジ辞書の提供を受けたりするための装置である。なお，本実施形態に係る備忘録システム１０を構成するためには，通信装置２２０は，少なくとも上記オントロジ辞書管理サーバ１００との通信のみを行えば十分であるが，他の携帯端末との通信（例えば，通話，電子メールの送受信等）などを行ってもよい。
【００５３】
入力装置２３０は，ユーザが入力した数値，文字などのアナログ形式の情報をデジタル形式の情報に変換して処理装置２１０に転送する装置であり，本実施形態においては，例えば，携帯端末の操作キーのことである。
【００５４】
出力装置２４０は，処理装置２１０で処理したデジタル形式の情報を，アナログ形式の情報に変換して外部に出力する装置であり，表示装置２４２および音声処理装置２４４を含んでいる。表示装置２４２は，本実施形態においては，例えば，ＬＣＤ（Ｌｉｑｕｉｄ  Ｃｒｙｓｔａｌ  Ｄｉｓｐｌａｙ）などのディスプレイのことである。音声処理装置２４４は，アナログ形式の音声とデジタル形式の情報との変換を行う装置であり，本実施形態においては，例えば，マイクやスピーカなどのことである。
【００５５】
記憶装置２５０は，コンピュータプログラムやデータを記憶する装置である。本実施形態においては，記憶装置２５０は，少なくともオントロジ辞書２５２および買い物備忘録リスト２５４を格納しているが，これらには限られない。
【００５６】
また，記憶装置２５０は，ＲＯＭ（Ｒｅａｄ  Ｏｎｌｙ  Ｍｅｍｏｒｙ）のような不揮発性メモリと，ＲＡＭ（Ｒａｎｄｏｍ  Ａｃｃｅｓｓ  Ｍｅｍｏｒｙ）のような揮発性メモリとに分けられていてもよい。この場合，買い物備忘録リスト２５４は，揮発性メモリに記憶されて，買い物備忘録リスト２５４に書き込まれた情報の追加，削除，変更等が自由に行えるようにされていることが好ましい。これにより，ユーザは，後に必要となった情報の追加，目的を達成して不要となったデータの削除，状況の変化により変更することが必要となった情報の変更等を自由に行うことができるため，より有用な備忘情報の提供を受けることが可能となる。
【００５７】
ここで，図３，図４ａおよび図４ｂを参照しながら，オントロジ辞書２５２の構成について，また，図５を参照しながら，買い物備忘録リスト２５４の構成について，具体的に説明する。なお，図３は，オントロジ辞書２５２の概略的な構成を示した説明図である。図４Ａは，本実施形態の変形例として，オントロジ辞書２５２が２つのデータベースから構成される場合の第１のデータベースの概略的な構成を示した説明図である。図４Ｂは，上記変形例における第２のデータベースの概略的な構成を示した説明図である。図５は，買い物備忘録リスト２５４の概略的な構成を示した説明図である。
【００５８】
オントロジ辞書とは，一般的には，例えば，類義語，上位概念と下位概念，対語，因果性，方法等のような語彙間の種々の関係を，コンピュータに理解できるように，体系的に記述した辞書（データベース）をいう。本実施形態に係るオントロジ辞書２５２は，図３に示したように，任意の商品情報（例えば，目薬，○○のＣＤ，パン等）と，商品カテゴリ情報（例えば，薬，ＣＤ，食品等）と，店舗情報（例えば，薬局，ＣＤ屋，スーパー等）と，店舗位置情報（例えば，渋谷区○○，新宿区△△，品川区□□等）と，をコンピュータに理解できるように関連付けて体系化した辞書（データベース）である。
【００５９】
このようなオントロジ辞書２５２を利用すると，例えば，頭痛薬，目薬，風邪薬などは薬という商品カテゴリに含まれること，薬は薬局という店舗で販売されていること，薬局は渋谷区○○や新宿区△△という位置（例えば，住所など）にあること，などの語彙間の関係がコンピュータに理解できるようになる。次に，コンピュータは，上記語彙間の関係を総合して，例えば，目薬は渋谷区○○の薬局で販売されているということを自動的に理解できるようになる。すなわち，例えば，ユーザが目薬を購入したい場合に，入力装置２２０を使用して「目薬」と入力すれば，処理装置２１０は，自動的に「目薬は，渋谷区○○，新宿区△△で販売されている」ということを認識することができる。したがって，ユーザは，目薬が販売されている店舗の位置を検索する場合に，目薬含まれる商品カテゴリ（薬），薬が販売されている店舗（薬局），薬局の位置（渋谷区○○，新宿区△△）と段階的に検索する必要がなく，目薬と入力することにより直接店舗の位置を検索することができるため，検索が容易かつ効率的に行われるようになる。
【００６０】
また，オントロジ辞書を利用すれば，コンピュータは，「目薬」と「点眼薬」は同じ商品であることが理解できるようになる。したがって，ユーザが「目薬」と入力したが，記憶装置２５０には「点眼薬」として記憶されていたため，適切な検索結果が得られなかったというような事態も避けることができる。
【００６１】
また，オントロジ辞書２５２は，図４ａに示した第１のデータベースおよび図４ｂに示した第２のデータベース，という２つのデータベースから構成されていてもよい。ここで，第１のデータベースは，任意の商品情報（例えば，目薬，パン等）と，該商品情報に対応する商品カテゴリ情報（例えば，薬，食品等）と，該商品カテゴリに対応する（該商品カテゴリに含まれる商品を販売している）店舗情報（例えば，薬局，スーパー等）とを関連付けて体系化したデータベースである。第２のデータベースは，店舗情報（例えば，薬局，スーパー等）と，該店舗の位置を表す店舗位置情報（例えば，渋谷区○○，品川区◇◇等）とを関連付けて体系化したデータベースである。なお，図４ａには，薬の例として，目薬，頭痛薬，風邪薬を挙げ，食品の例として，パン，牛乳を挙げているが，これらに限られないことは当然である。
【００６２】
図４ａにおいては，商品情報として具体的な商品名を挙げているが，実際に処理装置２１０で処理する場合には，これらの商品名はコード化されている。また，店舗情報としては，例えば「薬局」等の店舗の種類を表すようなものでもよく，「Ａ薬局」等の固有の店舗の名称でもよい。さらに，図４ｂにおいて，店舗位置情報として住所を挙げているが，住所は，例えば，都道府県単位，市区単位，番地単位と特に限定しないが，本実施形態が実効あるものとなるためには，番地単位程度の狭い範囲のものが好ましい。また，店舗位置情報は，住所ではなく，緯度・経度で表現されていてもよい。もちろん，住所や緯度・経度についてもコード化されて，処理装置２１０により処理される。
【００６３】
このように，オントロジ辞書２５２が２つのデータベースに分けて構成されることにより，１つのデータベースとして構成されている場合よりも，データ量を少なくすることができ，記憶装置２５０のメモリの使用量を抑えることができる。
【００６４】
なお，本実施形態においては，オントロジ辞書２５２は，商品カテゴリ情報を含んだものとしているが，必ずしも含んでいる必要はない。
【００６５】
買い物備忘録リスト２５４は，図５に示すように，ユーザにより入力された購入予定商品情報（例えば，目薬，牛乳等）と，ユーザの購入予定商品が販売されている店舗情報（例えば，薬局，スーパー等）と，当該店舗の位置を表す店舗位置情報（例えば，渋谷区○○，品川区◇◇）とを含むリストである。
【００６６】
買い物備忘録リスト２５４に含まれる購入予定商品情報は，ユーザにより自由に追加および削除することができるようにされていることが好ましい。これにより，ユーザは新たな商品を買おうと考えたときに（すなわち，忘れないうちに），その商品を購入予定商品情報として追加することができる。また，その商品を購入した後は，ユーザは，その商品に係る購入予定商品情報を買い物備忘録リスト２５４から削除することにより，再び，その商品についての備忘情報を得ることはなくなる。したがって，すでに購入した商品と同じ商品を誤ってもう一度購入してしまうという事態も避けることができる。
【００６７】
次に，再び図２を参照して，携帯端末２００の説明を続ける。
【００６８】
備忘録リスト管理部２６０は，買い物備忘録リストの作成および変更などを行うものである。具体的には，備忘録リスト管理部２６０は，まず，ユーザにより入力された購入予定商品情報（目薬，牛乳等）を買い物備忘録リスト２５４に書き込む（リストアップ）。次に，備忘録リスト管理部２６０は，リストアップされた購入予定情報を読み出し，オントロジ辞書２５２を参照し，購入予定商品を提供する店舗情報（薬局，スーパー等）からその店舗情報に関する店舗位置情報（新宿区○○，品川区◇◇等）を検索する。さらに，備忘録リスト管理部２６０は，少なくとも各購入予定商品情報とその購入予定商品情報を販売する店舗に関する店舗位置情報とを関連付けて買い物備忘録リスト２５４に書き込む。この場合に，店舗位置情報だけでなく，店舗情報も共に関連付けて買い物備忘録リスト２５４に書き込んでもよい。このようにして，図５に示すような，買い物備忘録リスト２５４が完成する。
【００６９】
現在位置情報取得部２７０は，携帯端末２００の現在位置（すなわち，ユーザの現在位置）を知るために，その現在位置情報（住所，緯度・経度等）を取得するためのものである。具体的には，例えば，ＧＰＳ（Ｇｌｏｂａｌ  Ｐｏｓｉｔｉｏｎｉｎｇ  Ｓｙｓｔｅｍ），ホットスポット，ＰＨＳ（Ｐｅｒｓｏｎａｌ  Ｈａｎｄｙｐｈｏｎｅ  Ｓｙｓｔｅｍ）による位置情報システムなどを用いて，携帯端末２００の現在位置を把握する。なお，ＧＰＳは，携帯端末２００に内蔵されているものでも，外部機器によるものでもよい。
【００７０】
通知部２８０は，現在位置情報取得部２７０により取得した現在位置情報と，買い物備忘録リスト２５４にリストアップされた店舗位置情報とのマッチングを行い，マッチングした店舗位置情報に関連付けられた購入予定商品についての備忘情報をユーザに通知するためのものである。
【００７１】
ここで，備忘情報とは，購入予定商品（目薬等），その商品を販売している店舗（薬局等），その店舗の位置（新宿区○○等の住所またはその地図）などの情報をいう。備忘情報をユーザに通知する場合に，上記３つの情報をすべて通知しなくてもよく，例えば，購入予定商品情報のみの通知，あるいは購入予定商品情報および店舗位置情報の通知などでもよい。
【００７２】
また，本実施形態における「マッチング」あるいは「マッチ」とは，現在位置情報と店舗位置情報とが正確に一致すること（例えば，緯度・経度が正確に一致していること）を意味しているのではなく，所定の幅をもって一致していることを意味している。すなわち，本実施形態において，「マッチ」するとは，購入予定商品を販売している店舗が現在位置から所定距離内（例えば，半径１００ｍ以内）に存在している場合を指す。
【００７３】
更新部２９０は，オントロジ辞書管理サーバ１００などからオントロジ辞書２５２の更新情報の提供を受けた場合に，記憶装置２５０に格納されているオントロジ辞書２５２の更新を行うためのものである。
【００７４】
なお，オントロジ辞書２５２の更新情報は，オントロジ辞書管理サーバ１００に記憶されているものに限られず，インターネット等の双方向通信可能な回線網を介していない端末内に記憶されているものでもよく，ＳＤメモリカード，ＣＤ−ＲＯＭ，フロッピーディスク（登録商標）などのコンピュータ読み取り可能な記録媒体に記憶されているものであってもよい。
【００７５】
なお，以上説明したような本実施形態に係る携帯端末２００の具体例としては，携帯電話，ＰＨＳ（Ｐｅｒｓｏｎａｌ  Ｈａｎｄｙｐｈｏｎｅ  Ｓｙｓｔｅｍ），ＰＤＡ（Ｐｅｒｓｏｎａｌ  Ｄｉｇｉｔａｌ  Ａｓｓｉｓｔａｎｔ），カーナビゲーションシステムなどが考えられるが，これらに限られるわけではない。
【００７６】
＜備忘情報提供方法＞
次に，図６〜図１０を参照しながら，本実施形態に係る備忘情報提供方法について説明する。以下，買い物備忘録リスト２５４の作成までと，作成後，ユーザへの備忘情報の通知までとに分けて説明する。
【００７７】
（買い物備忘録リスト２５４の作成）
初めに，図６を参照しながら，本実施形態に係る買い物備忘録リスト２５４の作成までの処理について説明する。なお，図６は，本実施形態に係る備忘情報提供方法のうち，買い物備忘録リスト２５４の作成までの処理の概略を示したフローチャートである。
【００７８】
まず，ユーザが購入を予定している１または２以上の商品（例えば，目薬，パン等）を入力する。ユーザにより入力された１または２以上の購入予定商品は，入力装置２３０により，デジタル方式の購入予定商品情報に変換される。備忘録リスト管理部２６０は，この購入予定商品情報を買い物備忘録リスト２５４に書き込む（Ｓ１０２：リストアップ）。このときの買い物備忘録リスト２５４は，図５の購入予定商品情報の欄のみにデータが書き込まれ，店舗情報および店舗位置情報の欄は空欄のままの状態である。
【００７９】
次に，備忘録リスト管理部２６０は，買い物備忘録リスト２５４にリストアップされた購入予定商品情報の中から，１の購入予定商品情報を読み出す（Ｓ１０４）。なお，この場合，複数の購入予定商品情報を一度に読み出してもよい。
【００８０】
次に，備忘録リスト管理部２６０は，オントロジ辞書２５２を参照し，読み出した購入予定商品情報に係る商品（例えば，目薬）を販売する店舗情報（例えば，薬局）から，その店舗情報に関する１または２以上の店舗位置情報（例えば，渋谷区○○，新宿区△△等の薬局の住所）を検索する（Ｓ１０６）。この場合，オントロジ辞書２５２には，店舗情報と関連付けて複数の店舗位置情報が登録されているので，備忘録リスト管理部２６０は，店舗位置情報を１つずつ検索することなく，店舗情報に関連付けられた１または２以上の店舗位置情報を一度にまとめて検索することができるため，効率的な検索を行うことができる。
【００８１】
また，備忘録リスト管理部２６０が検索を行う場合に，例えば，Ａ薬局が良心的な価格で販売していることからＡ薬局に限定して検索（Ｂ薬局，Ｃ薬局などは，検索対象から外して検索）したり，渋谷区にある薬局に限定して検索したりするなど，特定の店舗情報や特定の店舗位置情報に限定して検索する機能を備忘録リスト管理部２６０にもたせてもよい。備忘録リスト管理部２６０にこのような機能をもたせることにより，備忘録リスト管理部２６０は，例えば，価格が高いためユーザが行くことのないＢ薬局の位置情報を検索したり，遠いためユーザがほとんど行くことのない北海道の薬局の位置情報を検索したりすることがなくなるため，よりユーザの嗜好に合った効率的かつスピーディな検索が可能となる。
【００８２】
さらに，備忘録リスト管理部２６０は，検索された店舗位置情報（渋谷区○○，新宿区△△等）およびその位置情報に関連する店舗情報（薬局等）を，読み出した購入予定商品情報（目薬）と関連付けて買い物備忘録リスト２５４に書き込む（Ｓ１０８）。なお，ここでは，店舗情報も買い物備忘録リスト２５４に書き込んでいるが，本実施形態の備忘情報の提供をするためには，少なくとも購入予定商品情報および店舗位置情報が書き込まれれば十分である。一方，図５に示された３種類の情報に加えて，他の情報，例えば，具体的な店舗（Ａ薬局等），その店舗（Ａ薬局等）で販売されている購入予定商品（目薬）の価格，現在位置からその店舗（Ａ薬局等）までの距離，その店舗（Ａ薬局等）の広告に関する情報などを買い物備忘録リスト２５４に書き込んでもよい。
【００８３】
次に，備忘録リスト管理部２６０は，リストアップされた（買い物備忘録リスト２５４に書き込まれた）購入予定商品情報をすべて読み出したかを判断する（Ｓ１１０）。
【００８４】
備忘録リスト管理部２６０は，すべて読み出していないと判断した場合には，買い物備忘録リスト２５４から，まだ読み出していない別の購入予定商品情報を読み出し（Ｓ１０４），以下，Ｓ１０６〜Ｓ１１０までのステップに係る処理を行う。このようにして，備忘録リスト管理部２６０がすべての購入予定商品情報を読み出すまで，Ｓ１０４〜Ｓ１１０のステップが繰り返される。
【００８５】
最後に，備忘録リスト管理部２６０が，リストアップされた購入予定商品情報をすべて読み出したと判断すると，図５に示したような買い物備忘録リスト２５４が完成する。
【００８６】
（ユーザへの備忘情報の通知）
次に，図７〜図１０を参照しながら，本実施形態に係る買い物備忘録リスト２５４の作成後，ユーザへの備忘情報の通知までの処理について説明する。なお，図７は，本実施形態に係る備忘情報提供方法のうち，買い物備忘録リスト２５４の作成後，ユーザへの備忘情報の通知までの処理の概略を示したフローチャートである。図８は，通知部２８０がユーザに備忘情報を通知する際の表示装置２４２（ディスプレイ）の表示例を示した説明図である。図９は，ユーザの購入予定商品を販売している店舗の地図を表示した場合の表示装置２４２の表示例を示した説明図である。図１０は，購入予定商品をユーザが購入済みか否かの確認のメッセージを表示した場合の表示装置２４２の表示例を示した説明図である。
【００８７】
ユーザが，上述したような方法で作成された買い物備忘録リスト２５４が記憶装置２５０に格納された携帯端末２００を携帯して外出すると，まず，現在位置情報取得部２７０が，携帯端末２００の現在位置，すなわち，ユーザの現在位置についての情報を取得する（Ｓ２０２）。この場合，上述したように，現在位置情報の取得は，携帯端末２００に内臓もしくは外部機器に設けられたＧＰＳ，ホットスポットまたはＰＨＳによる位置情報システムなどによって行われる。
【００８８】
次に，備忘録リスト管理部２６０が，買い物備忘録リスト２５４にリストアップされた店舗位置情報の中から，１の店舗位置情報を読み出す（Ｓ２０４）。なお，この場合，複数の店舗位置情報をまとめて読み出してもよい。
【００８９】
次に，通知部２８０は，現在位置情報取得部２７０が取得した現在位置情報と，備忘録リスト管理部２６０が読み出した店舗位置情報とをマッチングする（Ｓ２０６）。ここで，本実施形態における「マッチング」あるいは「マッチ」とは，現在位置情報と店舗位置情報とが正確に一致すること（例えば，緯度・経度が正確に一致していること）を意味しているのではなく，所定の幅をもって一致していることを意味している。すなわち，本実施形態において，「マッチ」するとは，購入予定商品を販売している店舗が現在位置から所定距離内（例えば，半径１００ｍ以内）に存在している場合を指す。
【００９０】
なお，従来，情報検索には，テキストによるキーワードマッチや日時によるソーティング，フィルタリングが主に用いられており，位置情報などのテキストで書かれていない情報で検索することは不可能であったが，本実施形態に係る備忘情報提供方法によれば，位置情報で直接検索することができ，ユーザが明示的に位置情報をテキスト化する必要がなくなる。
【００９１】
次に，通知部２８０は，現在位置情報と店舗位置情報がマッチしたか否かの判断を行い（Ｓ２０８），マッチした店舗位置情報，この店舗位置情報と関連付けられた店舗情報，およびこの店舗で販売されている１または２以上の購入予定商品情報を，記憶装置２５０に一時的に記憶する（Ｓ２１０）。なお，この一時記憶については，処理装置２１０の処理速度を上げるために，キャッシュメモリなどを使用してもよい。また，本実施形態では，購入予定商品情報，店舗情報および店舗位置情報の３種類の情報を一時記憶しているが，本実施形態における備忘情報の提供のためには，少なくとも購入予定商品情報および店舗位置情報が一時記憶されていれば十分である。一方，上記３種類の情報に加えて，他の情報，例えば，具体的な店舗（Ａ薬局等），その店舗（Ａ薬局等）で販売されている購入予定商品（目薬）の価格，現在位置からその店舗（Ａ薬局等）までの距離，その店舗（Ａ薬局等）の広告に関する情報などを一時記憶してもよい。
【００９２】
ここで，上記のような現在位置情報と店舗位置情報とのマッチングは，間隔をおかずに常時行われることが最も好ましいが，間隔をおいて定期的（例えば５分ごと）に行われてもよく，ユーザのマッチングの要求に応じて行われてもよい。
【００９３】
次に，備忘録リスト管理部２６０は，リストアップされた（買い物備忘録リスト２５４に書き込まれた）店舗位置情報をすべて読み出したかを判断する（Ｓ２１２）。
【００９４】
備忘録リスト管理部２６０は，すべて読み出していないと判断した場合には，買い物備忘録リスト２５４から，まだ読み出していない別の店舗位置情報を読み出し（Ｓ２０４），以下，Ｓ２０６〜Ｓ２１２までのステップに係る処理を行う。このようにして，備忘録リスト管理部２６０がすべての店舗位置情報を読み出すまで，Ｓ２０４〜Ｓ２１２のステップが繰り返される。
【００９５】
最後に，備忘録リスト管理部２６０が，リストアップされた店舗位置情報をすべて読み出したと判断すると，通知部２８０は，一時的に記憶された購入予定商品情報，店舗情報および店舗位置情報を読み出し，これらの情報を表示装置２４２（ディスプレイ）に表示することにより，ユーザに備忘情報を通知する（Ｓ２１４）。ここで，備忘情報とは，購入予定商品（目薬等），その商品を販売している店舗（薬局等），その店舗の位置（新宿区○○等の住所またはその地図）などの情報をいう。備忘情報をユーザに通知する場合に，上記３つの情報をすべて通知しなくてもよく，例えば，購入予定商品情報のみの通知，あるいは購入予定商品情報および店舗位置情報の通知などでもよい。このときの表示装置２４２の表示例を図８に示した。
【００９６】
図８に示したように，表示装置２４２には，例えば，ユーザが購入を予定している商品を販売している店舗が現在位置の近辺にある旨のメッセージ，購入予定商品，その商品を販売している店舗およびその店舗の住所が表示される。この際，ユーザが地図情報にリンクできるようにされていてもよい。例えば，図８における「ｍａｐの表示」をユーザが選択すると，図９に示したような地図が表示されるようにされていてもよい。なお，図９において，●印は，ユーザ（携帯端末２００）の現在位置，★印は，ユーザの購入希望商品を販売している店舗の位置を表している。また，Ｘ，ＹおよびＺは，他の建物や施設を表している。
【００９７】
このような地図情報を表示した際には，例えば，ユーザが購入予定商品を販売している店舗に迷わずに行けるように，音声処理装置２４４により，音声情報を用いて道案内できるようにされていてもよい。
【００９８】
また，図１０に示したように，通知部２８０は，表示装置２４２にユーザが購入希望商品（目薬等）を実際に購入したか否かを確認するメッセージを表示してもよい。これにより，通知した備忘情報に係る購入予定商品を確実に購入するように，ユーザに喚起することができる。上記のような確認のメッセージは，例えば，通知部２８０が行うマッチングにより，緯度および経度が完全に一致した場合，すなわち，現在位置と店舗位置との距離がゼロになった場合，現在位置と店舗位置との距離がゼロにはならなくても至近距離（例えば，５ｍ以内）にある場合などに表示されるようにしてもよく，あるいは，このように自動的には表示されずに，ユーザの入力により手動で表示されるようにしてもよい。
【００９９】
さらに，図１０に示したように，通知部２８０は，購入確認のメッセージの表示に加えて，ユーザがその回答を選択できるようにしておくこともできる。この場合に，ユーザが，購入した旨（図１０の「はい」）を選択した場合には，備忘録リスト管理部２６０は，すでに購入した商品についての購入予定商品情報およびこの情報に関連付けられたすべての情報を（ユーザが削除の要求をすることなく）買い物備忘録リスト２５４から削除し，ユーザがまだ購入していない旨（図１０の「いいえ」）を選択した場合には，備忘録リスト管理部２６０は，その商品についての購入予定商品情報は買い物備忘録リスト２５４から削除せずに残しておくことができるようにしてもよい。これにより，ユーザは，すでに購入した商品に係る備忘情報を重複して通知されることはなくなり，同じ商品を誤って２度購入してしまうというような事態を避けることができる。また，ユーザは，通知部２８０から備忘情報が通知されたときは，例えば，たまたま財布を忘れて購入できなかったような場合には，次に，その店舗の近くを通りかかった際に，再び同じ備忘情報の通知を受けることができる。このように，通知部２８０が購入確認のメッセージを表示し，ユーザが購入したかどうかを選択できる機能を設けることにより，通知部２８０は，ユーザの状況を考慮した備忘情報の通知ができるようになる。
【０１００】
なお，買い物備忘録リスト２５４に書き込まれた情報の削除は，上記のように，自動的にされる場合だけでなく，ユーザの削除要求に応じて，不要な情報が削除されるようにしてもよい。
【０１０１】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【０１０２】
例えば，位置情報として，購入したい商品を販売している店舗の位置だけでなく，食べたい料理を提供するレストランの位置，見たい映画が上映している映画館の位置，体験したいアトラクションがあるテーマパークの位置等様々な情報が考えられる。
【産業上の利用可能性】
【０１０３】
本発明は，携帯端末に適用可能であり，特に，ＧＰＳ等のユーザの現在位置情報を取得するための装置を備える携帯端末に適用可能である。
【図面の簡単な説明】
【０１０４】
【図１】本実施形態に係る備忘録システム１０の概略的な構成を示すブロック図である。
【図２】本実施形態に係る携帯端末２００の概略的な構成を示すブロック図である。
【図３】本実施形態に係るオントロジ辞書２５２の概略的な構成を示した説明図である。
【図４ａ】本実施形態の変形例として，オントロジ辞書２５２が２つのデータベースから構成される場合の第１のデータベースの概略的な構成を示した説明図である。
【図４ｂ】本実施形態の変形例として，オントロジ辞書２５２が２つのデータベースから構成される場合の第２のデータベースの概略的な構成を示した説明図である。
【図５】本実施形態に係る買い物備忘録リスト２５４の概略的な構成を示した説明図である。
【図６】本実施形態に係る備忘情報提供方法のうち，買い物備忘録リスト２５４の作成までの処理の概略を示したフローチャートである。
【図７】本実施形態に係る備忘情報提供方法のうち，買い物備忘録リスト２５４の作成後，ユーザへの備忘情報の通知までの処理の概略を示したフローチャートである。
【図８】通知部２８０がユーザに備忘情報を通知する際の表示装置２４２（ディスプレイ）の表示例を示した説明図である。
【図９】ユーザの購入予定商品を販売している店舗の地図を表示した場合の表示装置２４２の表示例を示した説明図である。
【図１０】購入予定商品をユーザが購入済みか否かの確認のメッセージを表示した場合の表示装置２４２の表示例を示した説明図である。
【符号の説明】
【０１０５】
１０      備忘録システム
１００    オントロジ辞書管理サーバ
２００    携帯端末
２１０    処理装置（ＣＰＵ）
２２０    通信装置
２３０    入力装置
２４０    出力装置
２４２    表示装置
２４４    音声処理装置
２５０    記憶装置
２５２    オントロジ辞書
２５４    買い物備忘録リスト
２６０    備忘録リスト管理部
２７０    現在位置情報取得部
２８０    通知部
２９０    更新部
３００    回線網
４００    基地局
【図１】
2005316717.tif 000003
【図２】
2005316717.tif 000004
【図３】
2005316717.tif 000005
【図４ａ】
2005316717.tif 000006
【図４ｂ】
2005316717.tif 000007
【図５】
2005316717.tif 000008
【図６】
2005316717.tif 000009
【図７】
2005316717.tif 000010
【図８】
2005316717.tif 000011
【図９】
2005316717.tif 000012
【図１０】
2005316717.tif 000013